(57)【要約】【課題】照明器具を自由な位置に配置することができ、且つ該配置が、新設および既設の何れの家屋においても容易であって、さらに、該設置された屋内の意匠性が向上する梁照明を提供することを目的とする。【解決手段】一方の壁面１２から他方の壁面に渡って天井１１に設置された一対のサイドカバー１１０とサイドカバー１１０の下端縁部に配置されたセンタカバー１２０またはスペーサカバー３２０とによって包囲された中に、照明器具を配置する  また、天井１１に台座を固定し、これに照明器具およびサイドカバー１１０を設置する。さらに、電源線の引き出し穴を前記包囲された範囲に穿設する。【選択図】        図１
2004335235.tif 000002
【特許請求の範囲】
【請求項１】
屋内の天井に設置された照明器具と、
該照明器具を挟むように、一方の壁面から他方の壁面に渡って前記天井に設置された一対のサイドカバーと、
該サイドカバーの下端縁部に配置されたセンタカバーとを有することを特徴とする梁照明。
【請求項２】
前記照明器具が前記天井に固定された台座に設置され、前記サイドカバーが該台座に設置されることを特徴とする請求項１記載の梁照明。
【請求項３】
前記台座が複数であって、該台座同士の間に、前記天井に固定されたスペーサが配置されることを特徴とする請求項２記載の梁照明。
【請求項４】
前記台座の上部に直線状の溝部が形成され、該溝部が前記天井に固定された案内レールに案内されていることを特徴とする請求項２または３の何れかに記載の梁照明。
【請求項５】
前記照明器具に連結する電源線を前記壁面から屋内に引き出すための引き出し穴が、前記一対のサイドカバーとセンタカバーとによって包囲された範囲内に穿設されていることを特徴とする請求項１乃至４の何れかに記載の梁照明。
【請求項６】
前記台座に、前記サイドカバーを接着固定するためのサイドカバー支持板が設置されていることを特徴とする請求項２乃至５の何れかに記載の梁照明。
【請求項７】
屋内の壁面に設置された照明器具と、
該照明器具を挟むように、床面から天井面に渡って前記壁面に設置された一対のサイドカバーと、
該サイドカバーの側縁部に配置されたセンタカバーとを有することを特徴とする梁照明。
【請求項８】
前記照明器具が前記壁面に固定された台座に設置され、前記サイドカバーが該台座に設置されることを特徴とする請求項７記載の梁照明。
【請求項９】
前記台座が複数であって、該台座同士の間に、前記壁面に固定されたスペーサが配置されることを特徴とする請求項８記載の梁照明。
【請求項１０】
前記台座の側面に直線状の溝部が形成され、該溝部が前記壁面に固定された案内レールに案内されていることを特徴とする請求項８または９記載の梁照明。
【請求項１１】
前記照明器具に連結する電源線を前記壁面から屋内に引き出すための引き出し穴が、前記一対のサイドカバーとセンタカバーとによって包囲された範囲内に穿設されていることを特徴とする請求項７乃至１０の何れかに記載の梁照明。
【請求項１２】
前記台座に、前記サイドカバーを接着固定するためのサイドカバー支持板が設置されていることを特徴とする請求項７乃至１１の何れかに記載の梁照明。
【請求項１３】
前記照明器具が白熱灯装置または蛍光灯装置の何れか一方または両方によって構成されていることを特徴とする請求項１乃至１２の何れかに記載の梁照明。
【請求項１４】
前記白熱灯が配置された範囲において、前記センタカバーが開口していることを特徴とする請求項１３記載の梁照明。
【請求項１５】
前記白熱灯が設置される台座が板材の曲加工によって形成されたものであって、上部に空気を流通する放熱穴が穿設されていることを特徴とする請求項１３または１４記載の梁照明。
【請求項１６】
前記蛍光灯台座の上面に前記サイドカバーの上部係止部が係止する斜面が設けられ、前記サイドカバーの上部係止部が該斜面に係止する斜面を有することを特徴とする請求項１乃至６の何れかに記載の梁照明。
【発明の詳細な説明】
【０００１】
【発明の属する技術分野】
この発明は梁照明、特に、照明器具が屋内の天井に設置されて梁状のカバーによって包囲される梁照明に関するものである。
【０００２】
【従来の技術】
従来の梁照明には、吊り天井構造おける天井骨組構造を構成する断面コ字状の溝を有する横梁（形材（チャンネル材）によって形成されている）に、照明器具を組み込んだものがある。（例えば、特許文献１参照。）。
【０００３】
【特許文献１】
特開平５−１８２５０８（第３−５頁、図３）
【０００４】
【発明が解決しようとする課題】
しかしながら、従来の梁照明は、天井骨組構造を構成する横梁に照明器具を組み込んだものであるため、以下のような問題点があった。
▲１▼照明器具の配置位置が横梁の位置に限定されるため、照明器具を自由な位置に配置することができない。
▲２▼コンパクト蛍光ランプを横梁の溝内部に収容するため、横梁の形状によってコンパクト蛍光ランプの設置ができない場合が生じ、梁照明を設置できる家屋が限定される。
▲３▼また、白熱灯は溝内部に収容不能であるため、天井面から突出する。
▲４▼照明器具を横梁の上面に設置するため、天井裏の作業が発生し、特に、既設の屋内に設置するための作業が困難になっている。
▲５▼また、照明器具への電源線を天井裏に敷設するため、電源線が長尺になるとともに、天井裏の作業が発生し、特に、既設の家屋に設置するための作業が困難なっている。
【０００５】
この発明は上記のような問題点を解消するためになされたものであって、照明器具を天井または壁面の自由な位置に配置することができ、且つ該配置が新設および既設の何れの家屋においても容易であって、さらに、該設置された屋内の意匠性が向上する梁照明を提供することを目的とする。
【０００６】
【課題を解決するための手段】
この発明に係る梁照明（天井に設置されるもの）は、
屋内の天井に設置された照明器具と、
該照明器具を挟むように、一方の壁面から他方の壁面に渡って前記天井に設置された一対のサイドカバーと、
該サイドカバーの下端縁部に配置されたセンタカバーとを有することを特徴とするものである。
また、この発明に係る梁照明（壁面に設置されるもの）は、
屋内の壁面に設置された照明器具と、
該照明器具を挟むように、床面から天井面に渡って前記壁面に設置された一対のサイドカバーと、
該サイドカバーの側縁部に配置されたセンタカバーとを有することを特徴とするものである。
【０００７】
【発明の実施の形態】
図１は本発明に梁照明の実施の形態１〜３を示す斜視図である。図１において、部屋１０の天井１１に第１の梁照明１００と、第２の梁照明２００と、第３の梁照明３００が、一方の壁面１２（たとえば、東側の壁面）から図示しない他方の壁面（たとえば、西側の壁面）に渡って設置されている。
【０００８】
第１の梁照明１００は、一方の壁面１２から図示しない他方の壁面に渡る一対のサイドカバー１１０と、サイドカバー１１０の下端縁部に配置されたセンタカバー１２０およびスペーサカバー３２０を有し、その内部に図示しない複数の蛍光灯装置１５０が収容されている（以下に詳細に説明する）。
【０００９】
第２の梁照明２００は、一方の壁面１２から図示しない他方の壁面に渡る一対のサイドカバー１１０と、サイドカバー１１０の下端縁部に配置されたスペーサカバー３２０とを有し、その内部に複数の白熱灯装置２５０が収容され、白熱灯自体が一方のスペーサカバー３２０と他方のスペーサカバー３２０との間の隙間から直視されるものである。（以下に詳細に説明する）。
【００１０】
第３の梁照明３００は、一方の壁面１２から図示しない他方の壁面に渡る一対のサイドカバー１１０と、サイドカバー１１０の下端縁部に配置されたセンタカバー１２０とスペーサカバー３２０とを有し、その内部に図示しない蛍光灯装置１５０と白熱灯装置２５０が収容され、白熱灯自体がセンタカバー１２０とスペーサカバー３２０との間の隙間から直視されるものである。（以下に詳細に説明する）。
【００１１】
なお、サイドカバー１１０は、両端部が一方の壁面１２および図示しない他方の壁面に当接または所定の間隔を設けて対峙した板状であって、１枚の板材または複数枚の板材を寄せ集めて形成したものである。また、第１の梁照明１００、第２の梁照明２００、第３の梁照明３００において、サイドカバー１１０、センタカバー１２０、スペーサカバー３２０は説明を容易にするため同じものとしているが、本発明はこれに限定するもではなく、それぞれ相違してもよい。
【００１２】
したがって、天井１１に設置された蛍光灯装置１５０および白熱灯装置２５０の本体は、サイドカバー１１０と、センタカバー１２０またはスペーサカバー３２０によって包囲されるため、屋内に露出しない。また、サイドカバー１１０やセンタカバー１２０に所定の美的処理を施せば、部屋の意匠性がさらに向上する。以下、それぞれについて説明する。
【００１３】
［実施の形態１］
図２および図３は本発明に係る梁照明の実施の形態１における第１の梁照明であって、図２は断面図、図３は組立状況を説明する各部品の斜視図である。
（蛍光灯装置）
第１の梁照明１００は、天井１１に直線状に固定された案内レール１０１と、案内レール１０１に案内されて天井１１に設置された蛍光灯台座１３０と、蛍光灯台座１３０に設置された蛍光灯装置１５０と、蛍光灯台座１３０と蛍光灯装置１５０にウエブが挟さまれ、フランジが垂下する断面コ字状のサイドカバー支持板１４０と、センタカバー１２０を引き上げるＶバネ１６０（Ｖバネ固定具１５４に固定されている）とを有している。
蛍光灯装置１５０は、蛍光灯本体１５１と、蛍光灯本体１５１に設置されたランプソケット１５２および反射板１５３と、反射板１５３に設置されたＶバネ固定具１５４と、蛍光灯１５５とを有している。
【００１４】
（サイドカバー）
サイドカバー１１０は一方の壁面から他方の壁面に渡って配置される板状であって、所定の美的処理が施されて意匠性が付与されている。そして、一対のサイドカバー１１０の上端係止部１１１が、蛍光灯台座１３０の上端部１３１に係止して、サイドカバー１１０の側内面がサイドカバー支持板１４０に接着されている。該接着によって、サイドカバー１１０自体の強度を高めることができると共に蛍光灯装置１５０の発熱による熱変形を防ぐことができる。
なお、サイドカバー１１０の材質は限定するものではなく、いずれの材料を用いてもよい。また、複数の材料を寄せ集めて形成してもよい。
【００１５】
（センタカバー）
センタカバー１２０には、Ｖバネ取り付け金具１６１に固定され、Ｖバネ取り付け金具１６１に侵入したＶバネ１６０によって上方向に引き上げられている。したがって、センタカバー１２０の両縁部の溝１２１にサイドカバー１１０の下端部１１２が侵入している。
なお、センタカバー１２０の材質は限定するものではなく、いずれの材料を用いてもよい。また、模様、曇り処理、あるいは所定の凹凸、着色等を施して意匠性を高めてもよい。さらに、複数の材料を寄せ集めて形成してもよい。
【００１６】
（スペーサ台座）
また、スペーサ台座３３０が、蛍光灯台座１３０の端面に当接して、または該端面から所定の間隔を設けて、案内レール１０１に案内されて天井１１に設置されている。そして、スペーサ台座３３０には断面コ字状のサイドカバー支持板３４０が設置され、サイドカバー支持板３４０にはＶバネ固定具３５４が設置され、Ｖバネ固定具３５４にＶバネ３６０が固定されている。
【００１７】
（スペーサカバー）
また、スペーサカバー３２０には、Ｖバネ取り付け金具３６１が固定され、Ｖバネ取り付け金具３６１に侵入したＶバネ３６０によって上方向に引き上げられている。したがって、スペーサカバー３２０の両縁部の溝３２１にサイドカバー１１０の下端部１１２が侵入している。
すなわち、スペーサカバー３２０は、センタカバー３２０と同様にサイドカバー１１０に当接するものである。
なお、長尺の蛍光灯台座１３０にサイドカバー支持板３４０を設置して、該蛍光灯台座１３０の直下にスペーサカバー３２０を配置しても、あるいは、スペーサ台座３３０よりも長尺にしたスペーサカバー３２０を隣接する蛍光灯台座１３０の直下にまで延設してもよい。
【００１８】
（蛍光灯台座）
蛍光灯台座１３０の設置形態は、蛍光灯台座１３０の長さが蛍光灯本体１５１の長さと略同一であるもの、長尺の蛍光灯台座１３０を設置して、これの任意の位置（たとえば、端面寄りの位置あるいは中央位置）に短尺の蛍光灯本体１５１が設置されるもの、さらに、長尺の蛍光灯台座１３０に複数の蛍光灯本体１５１が設置されるもの、あるいは、２本の短尺の蛍光灯台座１３０を跨いで長尺の蛍光灯本体１５１が設置されるもの等がある。
よって、施工に好適な長さの蛍光灯台座１３０を適宜選定することができるから、当該屋内への蛍光灯台座１３０の搬入が容易になり、且つ設置作業が容易迅速になる。また、蛍光灯装置１５０を所定の間隔を設けて天井１１に設置する場合、蛍光灯台座１３０同士の間にスペーサ台座３３０を配置すれば、蛍光灯台座１３０の設置が容易になり、また、センタカバー１２０同士の隙間にスペーサカバー３２０を設置することが容易になる。
さらに、スペーサカバー３２０を蛍光灯台座１３０の直下に配置して、スペーサカバー３２０によってセンタカバー１２０同士の隙間を覆ってもよい。
【００１９】
また、蛍光灯台座１３０の材質は限定するものではない。たとえば、木材や樹脂等の中実体によって形成した場合には、いずれの位置においてもネジ加工や穴加工が容易になるため、天井梁の配置に係わらず容易に天井１１に設置することができるから、蛍光灯本体１５１の設置位置を自由に選択することが可能になる。
また、蛍光灯台座１３０を金属の板材を曲げ加工して形成した場合には、通気や配線のための空間が確保される。このとき、天井梁に設置するための穴および蛍光灯本体１５１を設置するための穴を長孔や溝にしておけば、設置位置の自由度が増す。
【００２０】
（第１の梁照明）
したがって、第１の梁照明１００は、蛍光灯装置１５０が所望の形態に配置され、且つ蛍光灯装置１５０が屋内に露出することがない。
また、サイドカバー１１０が一方の壁面から他方の壁面に渡って配置されるため、蛍光灯装置１５０が天井の壁面から離れた位置において、局所的に突出することがなく美観が阻害されることがない。さらに、サイドカバー１１０やセンタカバー１２０に美的処理を施せば、さらに意匠性が向上する。
なお、本発明は一列に配置される蛍光灯装置１５０の数量やそれぞれの長さを限定するものではなく、いずれの長さや数量であってもよい。また、蛍光灯装置１５０を複数配置する場合、それぞれの長さや相互の間隔は、同一であるものに限定するものでなく、たとえば、壁面に近い範囲と部屋の中央に近い範囲とで相違してもよい。
さらに、蛍光灯本体１５１が天井に直接設置することができる場合には、蛍光灯台座１３０を撤去して、蛍光灯本体１５１にサイドカバー１１０を係止してもよい。
【００２１】
［実施の形態２］
図４および図５は本発明に係る梁照明の実施の形態２における第２の梁照明であって、図４は断面図、図５は組立状況を説明する各部品の斜視図である。なお、実施の形態１（図２、３）と同じ部分にはこれと同じ符号を付し、一部の説明を省略する。
（白熱灯装置）
第２の梁照明２００は、天井１１に直線状に固定された案内レール１０１と、案内レール１０１に案内されて天井１１に設置された白熱灯台座２３０と、白熱灯台座２３０に設置されたソケット取り付け金具２４０と、ソケット取り付け金具２４０に取り付けられた白熱灯装置２５０とを有している。
白熱灯装置２５０はソケット２５１と、反射ボックス２５３と、反射ボックスカバー２５２と、白熱灯２５５とを有している。また、白熱灯台座２３０には端子台支持具２７０が設置され、端子台支持具２７０には端子台２７１が固定されている。
そして、一対のサイドカバー１１０の上端係止部１１１が、白熱灯台座２３０の上端部２３１に係止している。
【００２２】
（白熱灯台座）
白熱灯台座２３０は、金属板を曲げ加工して形成したものであって、熱伝導性に優れているため、白熱灯２５５からの熱の放散に供している。また、白熱灯台座２３０には、各種取り付け用の穴や、通気や軽量化のための穴が穿設されている。また、案内レール１１に案内される溝状部等の折り曲げられる隅部または角部の曲率半径は所定の範囲内に形成され、当接する相手部材との当接を保証している。
【００２３】
（スペーサ台座）
スペーサ台座３３０は、白熱灯台座２３０を挟むように（その端面に当接して、または該端面から所定の間隔を設けて）案内レール１０１に案内され、天井１１に設置されている。なお、スペーサ台座３３０は実施の形態１（図２、３）と同じであるため、説明を省略する。なお、スペーサ台座３３０にはサイドカバー支持板３４０が設置され、サイドカバー支持板３４０のフランジ外面とサイドカバー１１０の側内面とが接着されている。そして、スペーサカバー３２０はＶバネ３６０によって引き上げられて、スペーサカバー３２０の両縁部の溝３２１にサイドカバー１１０の下端部１１２が侵入している。
【００２４】
（第２の梁照明）
よって、白熱灯台座２３０の両側にスペーサ台座３３０が配置され、白熱灯装置２５０の側面は一対のサイドカバー１１０によって覆われ、一対のサイドカバー１１０の下端縁部同士の間の広い範囲がスペーサカバー３２０によって覆われるため、白熱灯装置２５０は露出することがない。すなわち、白熱灯２５５の下面が下方から直視されるだけになるため、意匠性が向上する。
とくに、サイドカバー１１０が一方の壁面から他方の壁面に渡って配置されるため、天井の壁面から離れた位置において白熱灯装置２５０が飛び飛びに突出しないから、美観が阻害されることがない。さらに、サイドカバー１１０やスペーサカバー３２０に美的処理を施せば、さらに意匠性が向上する。
【００２５】
また、白熱灯装置２５０を所望の間隔を設けて天井１１に設置する場合、白熱灯台座２３０の間に該間隔に相当する長さのスペーサ台座３３０を配置すれば、白熱灯台座２３０の設置が容易になる。
なお、白熱灯台座２３０が天井梁の位置に一致しない場合、両側のスペーサ台座３３０を天井梁に固定して、該スペーサ台座３３０に跨って白熱灯台座２３０を設置してもよい。
また、本発明は一列に配置される白熱灯装置２５０の数量を限定するものではなく、いずれの数量であってもよい。また、複数の白熱灯装置２５０の間隔（スペーサ台座３３０の長さに相当）は、同一であるものに限定するものでなく、たとえば、壁面に近い範囲と部屋の中央に近い範囲で相違してもよい。すなわち、美観を損なうことなく白熱灯装置２５０を自由に配置することが可能になる。
【００２６】
［実施の形態３］
図６は本発明に係る梁照明の実施の形態３における第３の梁照明の組立状況を説明する各部品の斜視図である。
第３の梁照明３００は、天井１１に直線状に固定された案内レール１０１に沿って、実施の形態１に示す蛍光灯装置１５０と実施の形態２に示す白熱灯装置２５０とが配置されたものである。なお、実施の形態１（図２、３）および実施の形態２（図４、５）と同じ部分にはこれと同じ符号を付し、一部の説明を省略する。
よって、側面は一対のサイドカバー１１０によって覆われ、下面の広い範囲がセンタカバー１２０およびスペーサカバー３２０によって覆われ、白熱灯装置２５０の白熱灯２５５の下面が下方から直視されるだけであるため意匠性が向上する。
【００２７】
とくに、サイドカバー１１０が一方の壁面から他方の壁面に渡って配置されるため、壁面から離れた天井において、蛍光灯装置１５０や白熱灯装置２５０が飛び飛びに突出しないから、美観が阻害されることがない。さらに、サイドカバー１１０、センタカバー１２０あるいはスペーサカバー３２０に美的処理を施せば、意匠性が向上する。また、蛍光灯装置１５０と白熱灯装置２５０との点灯・消灯は壁面に設置した切替スイッチによって容易に切替られるから、機能性も向上する。
なお、図中、白熱灯台座１３０を挟むように、蛍光灯台座１５０とスペーサ台座３３０が配置されているが、本発明はこれに限定するものではなく、蛍光灯台座１５０を連続して配置してもよく、白熱灯台座１３０または蛍光灯台座１５０をスペーサ台座３３０によって挟むように配置してもよく、あるいは、スペーサ台座３３０の配置を省略してもよい。
また、一列に配置される蛍光灯装置１５０および白熱灯装置２５０それぞれの数量や配置間隔は限定するものではない。すなわち、美観を損なうことなく蛍光灯装置１５０と白熱灯装置２５０とを自由に配置することが可能になる。
【００２８】
［実施の形態４］
図７は本発明に係る梁照明の実施の形態４における第４の梁照明の一部を示す断面図である。なお、実施の形態２（図４、５）と同じ部分にはこれと同じ符号を付し、一部の説明を省略する。
梁照明４００は、第２の梁照明２００の白熱灯台座２３０が板材の曲げ加工によって形成されたものであって、上部に空気を流通する放熱穴を穿設したものである。すなわち、白熱灯台座２３０の上面２３１に空気を流通する放熱穴２３２が穿設されている。
したがって、白熱灯装置２５０によって加熱された空気は、放熱穴２３２を経由して上昇し、一旦天井１１に衝突した後、天井１１に平行に流れるから（図中、矢印にて示す）、サイドカバー１１０の内部に熱が籠もることが防止される。よって、サイドカバー１１０同士の間隔や幅（天井からの垂れ下がり距離に同じ）を小さくすることができる。
【００２９】
［実施の形態５］
図８は本発明に係る梁照明の実施の形態５における第５の梁照明の一部を示す断面図である。なお、実施の形態１（図２、３）と同じ部分にはこれと同じ符号を付し、一部の説明を省略する。
梁照明５００は、第１の梁照明１００の蛍光灯台座１３０の上面にサイドカバーが係止する斜面を設けたものである。すなわち、蛍光灯台座１３０の上面に内側に向かって傾斜した斜面１３２が設けられ、サイドカバー１１０の上部係止部に同様の斜面１１３が設けられている。
よって、サイドカバー１１０の上部は、斜面１１３が蛍光灯台座１３０の斜面１３２に載置されて脱落することなく、一方、サイドカバー１１０の下端部１１２はセンタカバー１２０の両縁部の溝１２１に侵入して広がらないため、サイドカバー１１０の側内面とサイドカバー支持板１４０との接着を省略することが可能になる。すなわち、サイドカバー支持板１４０の設置を省略することによって、設置作業の迅速化および部品点数の減少による製造コストの低減化が図られる。
【００３０】
［実施の形態６］
図９は本発明に係る梁照明の実施の形態６における梁照明の電源線の配置を示す模式図であって、（ａ）は実施の形態１（図２、３）に示す梁照明１００におけるもの、（ｂ）は実施の形態２（図４、５）に示す梁照明２００におけるもの、（ｃ）は実施の形態３（図６）に示す梁照明３００におけるものである。なお、実施の形態１〜３と同じ部分にはこれと同じ符号を付し、一部の説明を省略する。
【００３１】
図９の（ａ）において、一方の壁面１２にスイッチ１５が設置され、スイッチ１５に接続された電源線１６は、一方の壁面１２の内部を通って天井に近い位置に設けた引き出し穴１７から屋内に引き出されている。引き出し穴１７は図示しない一対のサイドカバー１１０と、天井１１とスペーサカバー３２０とによって包囲された範囲に穿設されている。
また、屋内に引き出された電源線１６は、スペーサ台座３３０の下面に沿って断面コ字状のサイドカバー支持板３４０の内部を経由して、さらに蛍光灯本体１５１（斜線にて示す）の貫通穴１５６を経由して、順次、図示しない他方の壁面に向かって敷設されている。
よって、電源線１６が屋内に露出することがない。また、電源線１６を天井裏に引き回す必要がないため、電源線１６は最少の長さで済み、また、天井裏に入っての作業がなくなるため、敷設作業が容易になるから、梁照明１００の製造コストの低減化を図ることができる。
【００３２】
図９の（ｂ）において、図９の（ａ）と同様に屋内に引き出された電源線１６は、スペーサ台座３３０の下面に沿って断面コ字状のサイドカバー支持板３４０の内部を経由して、さらに板材を曲げ加工して形成した白熱灯台座２３０の内部を経由して、順次、図示しない他方の壁面に向かって敷設されている。また、途中で適宜、図示しない端子台２７１等に接続されている。
よって、梁照明１００と同様に梁照明２００の製造コストの低減化を図ることができる。
【００３３】
図９の（ｃ）において、図９の（ａ）と同様に屋内に引き出された電源線１６は、スペーサ台座３３０の下面に沿って進み、蛍光灯本体１５１（斜線にて示す）の貫通穴１５６を経由して、スペーサ台座３３０の下面に沿って断面コ字状のサイドカバー支持板３４０の内部を経由して、さらに板材を曲げ加工して形成した白熱灯台座２３０の内部を経由して、順次、図示しない他方の壁面に向かって敷設されている。また、途中で適宜、図示しない端子台２７１等に接続されている。
よって、梁照明１００と同様に梁照明３００の製造コストの低減化を図ることができる。
【００３４】
［実施の形態７］
前記実施の形態１〜６は、第１〜３の梁照明を屋内１０の天井１１に設置したものであるが、本発明はこれに限定するものではなく、壁面１２（その他の壁面に同じ）に設置してもよい（図示しない）。
このとき、サイドカバー１１０は床面から天井にかけて設置される。また、案内レール１１、蛍光灯台座１３０、照明灯等台座２３０、スペーサ台座３３０は何れも壁面１２に設置される。なお、電源線１６の引き出し穴１７はサイドカバー１１０よって挟まれた範囲内で壁面１２に穿設されるものである。
よって、当該「梁照明」は、床面から天井にかけて設置された「柱照明」に相当するものである。
【００３５】
【発明の効果】
以上のようにこの発明によれば、一方の壁面から他方の壁面に渡って天井に設置された一対のサイドカバーとサイドカバーの下端縁部に配置されたセンタカバーまたはスペーサカバーとによって包囲された中に、照明器具を配置したものであるため、照明器具が天井に飛び飛びに突出しないから、美観が阻害されることがない。
また、天井に台座を設けたことによって、該台座に照明器具およびサイドカバーを所望の位置に容易に設置することができる。
さらに、電源線は屋内に露出することがなく、最少の長さであって、容易に敷設することができる。
【図面の簡単な説明】
【図１】本発明に梁照明の実施の形態１〜３を示す斜視図である。
【図２】第１の梁照明を示す断面図である。
【図３】第１の梁照明の組立状況を説明する各部品の斜視図である。
【図４】第２の梁照明を示す断面図である。
【図５】第２の梁照明の組立状況を説明する各部品の斜視図である。
【図６】第３の梁照明の組立状況を説明する各部品の斜視図である。
【図７】第４の梁照明の一部を示す断面図である。
【図８】第５の梁照明の一部を示す断面図である。
【図９】第１〜３の梁照明の電源線の配置を示す模式図である。
【符号の説明】
１０  部屋、１１  天井、１２  一方の壁面、１５  スイッチ、１６  電源線、１７  引き出し穴、１００  第１の梁照明、１１０  サイドカバー、１２０  センタカバー、１３０  蛍光等台座、１４０  サイドカバー支持板、１５０  蛍光灯装置、１６０  Ｖバネ、２００  第２の梁照明、２３０  白熱灯台座、２５０  白熱灯装置、３００  第３の梁照明、３２０  スペーサカバー、３３０  スペーサ台座。
【図１】
2004335235.tif 000003
【図２】
2004335235.tif 000004
【図３】
2004335235.tif 000005
【図４】
2004335235.tif 000006
【図５】
2004335235.tif 000007
【図６】
2004335235.tif 000008
【図７】
2004335235.tif 000009
【図８】
2004335235.tif 000010
【図９】
2004335235.tif 000011